(57)【要約】【課題】軒樋と呼び樋とを接続する曲り部の角度調節が容易で水漏れせず、運搬時や仮止め時などでも安定した接続により利用することのできる竪樋継手を用いた集水器を提供する。【解決手段】集水器２０は、集水器本体２１と、呼び樋とを蛇腹管２３で接続し、蛇腹管２３とを備え、蛇腹管２３は上流側接続部２４と下流側接続部２６で覆われている。上流側接続部２４の内周面の一部には、接続調節機構として複数の凹凸部２６が段階的に設けられ、下流側接続部２５の外周面の一部には、接続調整機構として少なくとも1つの凸部２７が設けられている。上流側接続部２４の凹凸部２６と下流側接続部２５の凸部２７との噛み合わせにより、継手部２２は段階的な角度調節を行うことができ、上流側接続部２４と下流側接続部２５の接続が固定される。【選択図】図２
2019123992.tif 000002
【特許請求の範囲】
【請求項１】
軒樋と呼び樋とを接続する集水器であって、
前記集水器は前記軒樋に接続される集水器本体と、
前記集水器本体と前記呼び樋とを接続する継手部を備え、
前記継手部は前記集水器本体と前記呼び樋との接続角度を調整する蛇腹管と、
前記蛇腹管を覆い、前記集水器本体に接続される上流側接続部と、
前記蛇腹管を覆い、前記上流側接続部と前記呼び樋とに接続される下流側接続部とを有し、
前記上流側接続部と下流側接続部はそれぞれ一部の面に接続調整機構を有し、
前記接続調整機構は、前記上流側接続部と前記下流側接続部をスライド自在に前記蛇腹管の接続角度を調節したのち、前記上流側接続部と前記下流側接続部との接続角度を固定することを特徴とする
集水器。
【請求項２】
前記接続調整機構は凹凸の噛み合わせであることを特徴とする
請求項１に記載の集水器。
【請求項３】
前記接続調整機構は歯止めと凹凸を用いたラチェット機構であることを特徴とする
請求項１に記載の集水器。
【請求項４】
前記上流側接続部は、前記集水器本体との接続部において水平方向への回転機構を有する請求項１〜３のいずれか一項に記載の集水器。
【請求項５】
前記下流側接続部は、前記接続調整機構の対面に設けられた１つの軸を中心軸として回転することで前記継手部の接続角度を調節する
請求項１〜４のいずれか一項に記載の集水器。
【請求項６】
請求項１〜５のいずれか一項に記載の集水器と、
軒樋と、呼び樋と、竪樋とを備えた
雨樋システム。
【発明の詳細な説明】
【技術分野】
【０００１】
本発明は、建物の竪樋に用いる竪樋継手において、集水器と呼び樋との接続角度を調節可能な竪樋継手に関する。
【背景技術】
【０００２】
従来より、軒樋と呼び樋との接続角度を調節可能な竪樋継手として、呼び樋との接続角度を自由に調節できるように、上流側接続部と下流側接続部の間にスライド機能を設けた竪樋継手が知られている。この竪樋継手は、竪樋継手上部の内側に、竪樋継手下部が摺動可能に接続されており、竪樋継手の下部を摺動させることにより呼び樋と竪樋継手との接続角度を自由に調節することができる。しかしながら、この竪樋継手では、上流側接続部と下流側接続部の隙間から漏水してしまうという問題があった。
【０００３】
この問題を解決するための竪樋継手として、竪樋継手本体の内周部に伸縮自在な蛇腹状パッキンを用いた竪樋継手が、特許文献１に開示されている。この竪樋継手は、図６に示すように、略筒状体の継手本体１と、継手本体1の両端部のそれぞれに配設され継手本体１の周方向に回動自在な竪樋接続部4を備え、継手本体1を小径部２と大径部３とし、小径部2を大径部3に摺動可能に接続されている。また、竪樋継手の両端にある２つの竪樋継手接続部４の内周部同士は、伸縮自在な蛇腹状パッキン５で覆われている。この構成により、竪樋継手本体の接続角度の調節ができるとともに、竪樋継手本体の接続部にある隙間から漏水することを防ぐことができる。
【先行技術文献】
【特許文献】
【０００４】
【特許文献１】特開２００１−７３５１８号公報
【発明の概要】
【発明が解決しようとする課題】
【０００５】
しかしながら、特許文献１に記載の竪樋継手では、上流側接続部と下流側接続部との接続部が固定されていないため、運搬時や雨樋設置の際の仮止め時において、竪樋継手の上流側接続部と下流側接続部の接続が不安定となってしまい、接続部分が外れる恐れがあるという問題が生じることがあった。
【０００６】
そこで本発明は、雨樋取付現場において、軒樋と呼び樋とを接続する曲り部の角度調節が容易で水漏れせず、運搬時や仮止め時などでも安定した接続により利用することのできる竪樋継手を用いた集水器の提供を目的としている。
【課題を解決するための手段】
【０００７】
本発明の集水器は、軒樋と呼び樋とを接続する集水器であって、前記集水器は、前記軒樋に接続される集水器本体と、前記集水器本体と前記呼び樋とを接続する継手部を備え、前記継手部は前記集水器本体と前記呼び樋との接続角度を調整する蛇腹管と、前記蛇腹管を覆い、前記集水器本体に接続される上流側接続部と、前記蛇腹管を覆い、前記上流側接続部と前記呼び樋に接続される下流側接続部とを有し、前記上流側接続部と下流側接続部はそれぞれ一部の面に接続調整機構を有し、前記接続調整機構は、前記上流側接続部と前記下流側接続部をスライド自在に前記蛇腹管の接続角度を調節したのち、前記上流側接続部と前記下流側接続部との接続角度を固定することを特徴とする。
【０００８】
また、本発明の集水器に従属する一形態によれば、前記接続調整機構として凹凸の噛み
合わせを用いたことを特徴とする。
【０００９】
また、本発明の集水器に従属する一形態によれば、前記接続調整機構として歯止めと凹凸のラチェット機構を用いたことを特徴とする。
【００１０】
また、本発明の集水器に従属する一形態によれば、前記上流側接続部が前記カバー部の周方向と水平方向に回転することができることを特徴としている。
【００１１】
さらに、前記下流側接続部は、前記接続調整機構の対面に設けられた１つの軸を中心軸として回転することで前記継手部の接続角度を調節することを特徴としている。
【発明の効果】
【００１２】
本発明の集水器によれば、蛇腹管によって集水器本体と呼び樋との角度調節が可能であり、且つ水密性を持たせることができる。また、カバーの上流側接続部と下流側接続部とに設けられた接続調整機構により集水器の継手部の段階的な角度調節ができる。さらに、上流側接続部と下流側接続部の接続調節機構により、上流側接続部と下流側接続部が固定されるため、運搬時や接続時に呼び樋の重みで蛇腹管が開くのを防ぐことができ、安定した設置作業を行うことができる。
【００１３】
また、集水器本体と継手部との接続部の根元を捻って、集水器本体との接続角度を変更することで呼び樋の角度を調節することができるため、集水器本体と竪樋の位置が一直線の構造でなくても竪樋継手を設置することが可能である。
【発明を実施するための形態】
【００１４】
本発明の実施形態の一例を、図を用いて詳細に説明する。
【００１５】
図１に示すように、建物の屋根１１から流れる雨水Qは軒樋から集水器本体１２へと流れ、集水器本体１２から竪樋を経て排出される。竪樋は、軒樋の中心軸から角度θで建物に向かって下降する呼び樋１４と、建物に沿って下垂する竪樋１５とで形成され、軒樋の集水器本体１２と呼び樋１４との間に竪樋継手１３が装着される。
【００１６】
図２、図３に示すように、本発明に係る集水器２０は、軒樋に接続される集水器本体２１と、集水器本体２１と呼び樋１４とを接続する継手部２２で構成されている。継手部２２は、集水器本体２１と呼び樋１４とに接続され、集水器本体２１と呼び樋１４との接続角度を調整する蛇腹管２３と、蛇腹管２３の上流側部分を覆い、集水器本体２１を差し込み固着する上流側接続部２４と、蛇腹管２３の下流側部分を覆い、上流側接続部２４と呼び樋１４に差し込み固着する下流側接続部２５とで構成されている。したがって、継手部２２は、内周部に伸縮自在な蛇腹管２３を備え、蛇腹管２３は集水器本体２１と呼び樋１４とに接続され、蛇腹管２３を上流側接続部２４と下流側接続部２５が覆うように構成されている。
【００１７】
上流側接続部２４の内径は、下流側接続部２５の外径よりも大きく、上流側接続部２４の内側に下流側接続部２５が結合する構造となっている。上流側接続部２４の内周面の一部には、接続調節機構として複数の凹凸部２６が段階的に設けられている。また、下流側接続部２５の外周面の一部には、接続調整機構として少なくとも1つの凸部２７が設けられている。上流側接続部２４の凹凸部２６と下流側接続部２５の凸部２７との噛み合わせにより、集水器２０の継手部２２は段階的な角度調節を行うことが可能である。また、上流側接続部２４の凹凸部２６と下流側接続部２５の凸部２７との噛み合わせにより、上流側接続部２４と下流側接続部２５の接続が固定されるため、継手部２２全体の接続が安定し、安定した設置を行うことができる。
【００１８】
また、上流側接続部２４の凹凸部２６を設けられていない内周面および下流側接続部２５の凸部２７を設けられていない外周面は、略平滑面状に形成されている。略平滑面状に形成されることで集水器２０の継手部２２はスムーズにスライド可能となり、円滑な角度調節が可能となる。
【００１９】
図４に示すように、継手部２２の上流側接続部２４の集水器本体２１との接続部には、集水器本体２１との接続部に水平方向に３６０度回転する回転機構が設けられており、継手部２２は水平方向に３６０度回転可能な構造となっている。これにより、集水器本体２１の落とし口と呼び樋１４および竪樋１５の位置が一直線に配置できないような場所でも、継手部２２の集水器本体２１に対する水平方向の接続角度を変更することで、集水器本体２１と呼び樋１４、竪樋１５とを接続することが可能である。
【００２０】
さらに、下流側接続部２５の凸部２７を設けた面の対面には、下流側接続部２５の回転中心軸となる軸aが設けられており、集水器２０の継手部２２は軸aを回転の中心として回転することで、継手部２２の接続角度を調整する構造となっている。一本の軸を中心として回転させることで、継手部２２の曲率半径が小さくなり、集水器２０の大きさをより小さくすることができる。
【００２１】
次に、本発明に係る集水器による作用について以下に示す。
【００２２】
本発明に係る集水器は、下流側接続部２５の軸aを中心に継手部２２が回転し、継手部２２の接続角度を調節する構造となっており、上流側接続部２４の凹凸部２６と下流側接続部２５の凸部２７の噛み合わせにより、段階的な角度調節が可能となっている。図５に示すように、本実施例の集水器２０の継手部２２は、軒樋の中心軸から約９２度から約１３５度の間で段階的に角度調節が可能な構造となっている。なお、上流側接続部２４の内周面に設ける凹凸の数や、凹凸を設ける範囲を変更することで、集水器２０の継手部２２の回転範囲を変更することが可能である。
【００２３】
また、上流側接続部２４の凹凸部２６と下流側接続部２５の凸部２７の噛み合わせにより、段階的な角度調節を行うとともに、一定の角度で継手部２２の接続角度を固定することができる。これにより、呼び樋１４の重みで蛇腹管２３が開くのを防ぐことができ、運搬時や施工の際の仮止め時に集水器２０の継手部２２の上流側接続部２４と下流側接続部２５との接続が外れるのを防ぐことができる。
【００２４】
また、本発明に係る集水器は、集水器本体２１と継手部２２の上流側接続部２４との接続部分において水平方向に３６０度回転する構造となっている。これにより、集水器本体２１の落とし口と呼び樋１４および竪樋１５を一直線に設置することができないような場所でも、継手部２２の水平方向の接続角度を調整することにより、設置場所周辺の空いているスペースを利用して、集水器本体２１と呼び樋１４、竪樋１５の設置を行うことができる。
【００２５】
また、継手部２２の下流側接続部２５の凸部２７が設けられていない面に設けられた回転中心軸aにより、下流側接続部２５は回転中心軸aを中心軸として回転し、継手部２２の接続角度を調整する構造となっている。これにより、継手部２２の曲率半径を小さくすることができ、集水器２０の大きさを小さくすることができるため、取付スペースを十分に広く確保できない狭い場所での設置についても容易に行うことができる。
【００２６】
以上、本発明の実施例を図面に基づいて説明したが、具体的な構成はこの実施例に限られるものではなく、本発明の特許請求の範囲を逸脱しない範囲の設計変更などがあっても
本発明に含まれる。
【００２７】
例えば、上記の実施例においては、継手部２２の接続調整機構として、上流側接続部２４の内周面に複数の凹凸、下流側接続部２５の外周面に少なくとも1つの凸部を設けて、凹凸と凸部の噛み合わせにより継手部２２の接続角度を固定したが、上流側接続部２４の内周面に少なくとも1つの凸部を設け、下流側接続部２５の外周面に複数の凹凸を設けてもよい。この場合も、上記実施例と同様に、凹凸の噛み合わせにより継手部２２を固定することができ、安定した接続が可能となる。
【００２８】
また、上流側接続部２４と下流側接続部２５の双方に複数の凹凸を設けてもよい。この場合、上流側接続部２４と下流側接続部２５の複数の凹凸の噛み合わせにより、上流側接続部２４と下流側接続部２５の接続が固定されるため、継手部２２の上流側接続部２４と下流側接続部２５の接続は、より強固な接続となり、より安定した接続を行うことができる。
【００２９】
また、上流側接続部２４と下流側接続部２５の接続調節機構として用いられるものは、段階的な角度調節が可能であり、かつ、角度調節後に上流側接続部２４と下流側接続部２５が固定される機構を有するものであればよい。
【００３０】
例えば、上流側接続部２４と下流側接続部２５の一方に歯止め部、もう一方に凹凸部を設けたラチェット機構により、継手部２２の動作方向を一方向にのみ限定し、継手部２２の接続角度の調節および固定を行うようにしてもよい。この際、歯止めにはラチェット機構を解除する機構を設けることで、継手部２２の接続角度をもとに戻すことができるようになり、より簡易な接続角度の調節が可能となる。
【００３１】
本発明の集水器は、軒樋と、呼び樋とを接続し、屋根から流れる雨水や雪解け水などの液体を軒樋、集水器、呼び樋、竪樋と経由して地上または下水管へと排出する雨樋システムとして、家屋や事務所などの建物の外部に用いられる。
【図面の簡単な説明】
【００３２】
【図１】本発明の実施形態における竪樋に竪樋継手が取り付けられた状態を示す一部透視側面図である。
【図２】本発明の実施形態における竪樋継手の断面図である。
【図３】本発明の実施形態における竪樋継手の分解斜視図である。
【図４】本発明の実施形態における接続角度を変更した際の竪樋継手の断面図である。
【図５】本発明の実施形態における竪樋継手の水平方向に回転可能な構造を示す斜視図である。
【図６】従来例における接続角度が可変で内部に蛇腹状パッキンを取り付けた竪樋継手の部分断面図である。
【符号の説明】
【００３３】
１  継手本体
２  小径部
３  大径部
４  竪樋接続部
５  蛇腹状パッキン
１１  屋根
１２  集水器本体
１３  竪樋継手
１４  呼び樋
１５  竪樋
２０  集水器
２１  集水器本体
２２  蛇腹管
２３  カバー部
２４  上流側接続部
２５  下流側接続部
２６  凹凸部
２７  凸部
【図１】
2019123992.tif 000003
【図２】
2019123992.tif 000004
【図３】
2019123992.tif 000005
【図４】
2019123992.tif 000006
【図５】
2019123992.tif 000007
【図６】
2019123992.tif 000008